(57)【要約】【課題】セルラー通信において無線通信システム全体の伝送効率を向上させる。【解決手段】無線通信システムにおいて、送信装置は非直交周波数分割多重信号を受信装置に送信する。送信装置は、圧縮制御部および信号生成部を備える。圧縮制御部は、周波数リソース内の所定のリソース毎に、サブキャリア幅を変えることなくサブキャリア間隔を狭めるサブキャリア圧縮のための圧縮制御を行う。信号生成部は、圧縮制御部による圧縮制御に基づいて非直交周波数分割多重信号を生成する。【選択図】図１
2018157514.tif 000002
【特許請求の範囲】
【請求項１】
周波数リソース内の所定のリソース毎に、サブキャリア幅を変えることなくサブキャリア間隔を狭めるサブキャリア圧縮のための圧縮制御を行う圧縮制御部と、
前記圧縮制御に基づいて非直交周波数分割多重信号を生成する信号生成部と
を具備して前記非直交周波数分割多重信号を受信装置に送信する送信装置。
【請求項２】
前記所定のリソースは、データ送信に割り当てられる周波数リソースの単位に基づいて決定される
請求項１記載の送信装置。
【請求項３】
前記サブキャリア圧縮は、制御情報に含まれるサブキャリア圧縮に関する情報に基づいて行われる
請求項１記載の送信装置。
【請求項４】
前記制御情報は、前記送信装置から前記受信装置に対して通知される
請求項３記載の送信装置。
【請求項５】
前記制御情報は、前記受信装置から前記送信装置に対して通知される
請求項３記載の送信装置。
【請求項６】
前記サブキャリア圧縮に関する情報は、変調方式および符号化率に関する情報、レイヤー数、または、アンテナポートと組み合わせて規定される
請求項３記載の送信装置。
【請求項７】
前記サブキャリア間隔は、前記所定のリソースにおいて等間隔に配置される
請求項１記載の送信装置。
【請求項８】
前記サブキャリア間隔は、前記所定のリソースにおいて不等間隔に配置される
請求項１記載の送信装置。
【請求項９】
前記サブキャリアの配置は、所定の信号がマッピングされるサブキャリアに基づいて決定される
請求項８記載の送信装置。
【請求項１０】
前記所定の信号は、参照信号である
請求項９記載の送信装置。
【請求項１１】
前記非直交周波数分割多重信号は、前記所定のリソースにおいて等間隔に配置されたサブキャリアのうち所定のサブキャリアを間引くことにより生成される
請求項８記載の送信装置。
【請求項１２】
前記サブキャリア圧縮は、前記所定のリソースにおける伝送路状態に基づいて行われる
請求項１記載の送信装置。
【請求項１３】
周波数リソース内の所定のリソース毎に、サブキャリア幅を変えることなくサブキャリア間隔を狭めるサブキャリア圧縮のための圧縮制御を行う圧縮制御部と、
前記圧縮制御に基づいて非直交周波数分割多重信号を復号する信号復号部と
を具備して前記非直交周波数分割多重信号を送信装置から受信する受信装置。
【請求項１４】
所定の参照信号により測定される伝送路状態に基づいて前記サブキャリア圧縮に関する情報を前記送信装置にフィードバックする
請求項１３記載の受信装置。
【請求項１５】
非直交周波数分割多重信号を送信する送信装置と、前記送信装置から送信された前記非直交周波数分割多重信号を受信する受信装置とを具備する無線通信システムであって、
前記送信装置は、
周波数リソース内の所定のリソース毎に、サブキャリア幅を変えることなくサブキャリア間隔を狭めるサブキャリア圧縮のための圧縮制御を行う圧縮制御部と、
前記圧縮制御に基づいて前記非直交周波数分割多重信号を生成する信号生成部とを備える
無線通信システム。
【請求項１６】
周波数リソース内の所定のリソース毎に、サブキャリア幅を変えることなくサブキャリア間隔を狭めるサブキャリア圧縮のための圧縮制御を行う圧縮制御手順と、
前記圧縮制御に基づいて非直交周波数分割多重信号を生成する信号生成手順と
を具備して前記非直交周波数分割多重信号を受信装置に送信する送信装置における送信方法。
【請求項１７】
周波数リソース内の所定のリソース毎に、サブキャリア幅を変えることなくサブキャリア間隔を狭めるサブキャリア圧縮のための圧縮制御を行う圧縮制御手順と、
前記圧縮制御に基づいて非直交周波数分割多重信号を復号する信号復号手順と
を具備して前記非直交周波数分割多重信号を送信装置から受信する受信装置における受信方法。
【請求項１８】
周波数リソース内の所定のリソース毎に、サブキャリア幅を変えることなくサブキャリア間隔を狭めるサブキャリア圧縮のための圧縮制御を行う圧縮制御手順と、
前記圧縮制御に基づいて非直交周波数分割多重信号を生成する信号生成手順と
を送信装置のコンピュータに実行させて前記非直交周波数分割多重信号を受信装置に送信するためのプログラム。
【請求項１９】
周波数リソース内の所定のリソース毎に、サブキャリア幅を変えることなくサブキャリア間隔を狭めるサブキャリア圧縮のための圧縮制御を行う圧縮制御手順と、
前記圧縮制御に基づいて非直交周波数分割多重信号を復号する信号復号手順と
を送信装置のコンピュータに実行させて前記非直交周波数分割多重信号を送信装置から受信するためのプログラム。
【発明の詳細な説明】
【技術分野】
【０００１】
本技術は、無線通信システムに関する。詳しくは、非直交周波数分割多重信号を用いて送受信を行う無線通信システム、その送信装置および受信装置、これらにおける処理方法ならびに当該方法をコンピュータに実行させるプログラムに関する。
【背景技術】
【０００２】
３ＧＰＰ（3rd Generation Partnership Project）において、第４世代（４Ｇ）および第５世代（５Ｇ）のセルラー通信のための無線アクセス方式および無線ネットワークが検討されている。現在の４Ｇおよび５Ｇでは、直交周波数分割多重（ＯＦＤＭ：Orthogonal Frequency Division Multiplexing）方式を用いた無線アクセス方式が採用されている。ＯＦＤＭ方式では、多数のサブキャリアを互いに直交するように密に配置することで、周波数利用効率を向上させている。
【０００３】
特に５Ｇ以降のセルラー通信では、これまで以上に通信容量を向上させるために、周波数利用効率の向上が求められている。その方策の１つとして、非直交アクセス方式が注目されている。非直交アクセス方式では、これまでの直交していたリソースを非直交にすることで周波数利用効率を向上させることができる。特に、周波数領域におけるサブキャリアおよび／または時間領域におけるＯＦＤＭシンボルを圧縮させる非直交アクセス方式は、無線リソースを拡張することなくサブキャリアおよび／またはＯＦＤＭシンボルを高密度に重畳することで、理論的な通信容量を増大させる方式として注目されている。また、サブキャリアおよび／またはＯＦＤＭシンボルを非直交にすることにより生じるキャリア間干渉（ＩＣＩ：Inter Channel Interference）および／またはシンボル間干渉（ＩＳＩ：Inter Symbol Interference）に対しては、受信側でその干渉を除去することにより、無線伝送が実現できる。周波数領域および時間領域における非直交アクセス方式については、例えば、非特許文献１および非特許文献２にそれぞれ開示されている。
【先行技術文献】
【非特許文献】
【０００４】
【非特許文献１】Tongyang Xu, et al., "Spectrally Efficient FDM: Spectrum Saving Technique for 5G?", 1st International Conference on 5G for Ubiquitous Connectivity, November 2014.
【非特許文献２】D. Dasalukunte, et al., "Multicarrier Faster-Than-Nyquist Transceivers: Hardware Architecture and Performance Analysis", IEEE Trans. Circuits and Systems, April 2011.
【発明の概要】
【発明が解決しようとする課題】
【０００５】
しかしながら、これまでに周波数領域および時間領域における非直交アクセス方式を用いたセルラー通信に関する検討は行われていない。特に、非直交アクセス方式の送信方法および受信方法においてセルラー通信を考慮した検討はされておらず、セルラー通信における最適なデータ伝送は実現できなかった。
【０００６】
本技術はこのような状況に鑑みて生み出されたものであり、基地局装置と端末装置が通信する通信システムにおいて、セルラー通信を考慮した非直交アクセス方式を最適に設計する。これにより、無線通信システム全体の伝送効率を大幅に向上させることができる基地局装置、端末装置、通信システム、通信方法および集積回路を提供することを目的とする。
【課題を解決するための手段】
【０００７】
本技術は、上述の問題点を解消するためになされたものであり、その第１の側面は、周波数リソース内の所定のリソース毎に、サブキャリア幅を変えることなくサブキャリア間隔を狭めるサブキャリア圧縮のための圧縮制御を行う圧縮制御部と、上記圧縮制御に基づいて非直交周波数分割多重信号を生成する信号生成部とを具備して上記非直交周波数分割多重信号を受信装置に送信する送信装置、その送信装置における送信方法およびプログラム、その送信装置および受信装置を備える無線通信システムである。これにより、サブキャリア圧縮された非直交周波数分割多重信号を送信するという作用をもたらす。
【０００８】
また、この第１の側面において、上記所定のリソースは、データ送信に割り当てられる周波数リソースの単位に基づいて決定されるようにしてもよい。これにより、周波数リソースの単位毎にサブキャリア圧縮を行うという作用をもたらす。
【０００９】
また、この第１の側面において、上記サブキャリア圧縮は、制御情報に含まれるサブキャリア圧縮に関する情報に基づいて行われるようにしてもよい。この場合において、上記制御情報は、上記送信装置から上記受信装置に対して通知されてもよく、また、上記受信装置から上記送信装置に対して通知されてもよい。また、上記サブキャリア圧縮に関する情報は、変調方式および符号化率に関する情報、レイヤー数、または、アンテナポートと組み合わせて規定されてもよい。
【００１０】
また、この第１の側面において、上記サブキャリア間隔は、上記所定のリソースにおいて等間隔に配置されてもよい。この場合、サブキャリアの配置は、圧縮率に基づいて決定されてもよい。
【００１１】
また、この第１の側面において、上記サブキャリア間隔は、上記所定のリソースにおいて不等間隔に配置されてもよい。この場合、上記サブキャリアの配置は、所定の信号がマッピングされるサブキャリアに基づいて決定されてもよい。なお、上記所定の信号は、参照信号であってもよい。また、上記非直交周波数分割多重信号は、上記所定のリソースにおいて等間隔に配置されたサブキャリアのうち所定のサブキャリアを間引くことにより、不等間隔なサブキャリア間隔の配置が生成されてもよい。
【００１２】
また、この第１の側面において、上記サブキャリア圧縮は、上記所定のリソースにおける伝送路状態に基づいて行われてもよい。これにより、伝送路状態に応じた適応制御を行うという作用をもたらす。
【００１３】
また、本技術の第２の側面は、周波数リソース内の所定のリソース毎に、サブキャリア幅を変えることなくサブキャリア間隔を狭めるサブキャリア圧縮のための圧縮制御を行う圧縮制御部と、上記圧縮制御に基づいて非直交周波数分割多重信号を復号する信号復号部とを具備して上記非直交周波数分割多重信号を送信装置から受信する受信装置、その受信装置における受信方法およびプログラムである。これにより、サブキャリア圧縮された非直交周波数分割多重信号を受信するという作用をもたらす。
【００１４】
また、この第２の側面において、所定の参照信号により測定される伝送路状態に基づいて上記サブキャリア圧縮に関する情報を上記送信装置にフィードバックするようにしてもよい。これにより、サブキャリア圧縮を効率的に適応制御するという作用をもたらす。
【発明の効果】
【００１５】
本技術によれば、セルラー通信において無線通信システム全体の伝送効率を向上させるという優れた効果を奏し得る。なお、ここに記載された効果は必ずしも限定されるものではなく、本開示中に記載されたいずれかの効果であってもよい。
【図面の簡単な説明】
【００１６】
【図１】本技術の実施の形態における通信システムの全体構成の一例を示す図である。
【図２】本技術の実施の形態における送信部１００の構成例を示す図である。
【図３】本技術の実施の形態における他の送信部２００の構成例を示す図である。
【図４】本技術の実施の形態における受信部３００の構成例を示す図である。
【図５】ＮＯＦＤＭにおけるサブキャリア配置の例を示す図である。
【図６】本技術の実施の形態におけるサブキャリアの圧縮制御を行う下りリンクデータ伝送におけるシーケンス図の例である。
【図７】本技術の実施の形態におけるサブキャリアの圧縮制御を行う上りリンクデータ伝送におけるシーケンス図の例である。
【図８】本技術の実施の形態における圧縮率の通知方法の第１の例を示す図である。
【図９】本技術の実施の形態における圧縮率の通知方法の第２の例を示す図である。
【図１０】本技術の実施の形態における圧縮率の通知方法の第３の例を示す図である。
【図１１】本技術の実施の形態における圧縮率の通知方法の第４の例を示す図である。
【図１２】本技術の実施の形態における周期的な不等間隔配置の例を示す図である。
【図１３】本技術の実施の形態における非周期的な不等間隔配置の例を示す図である。
【図１４】本技術の実施の形態におけるサブキャリア圧縮の適応制御の例を示す図である。
【図１５】本技術の実施の形態におけるＣＱＩと圧縮に関する情報との組合せを示すフィードバック情報の一例を示す図である。
【発明を実施するための形態】
【００１７】
以下、本技術を実施するための形態（以下、実施の形態と称する）について説明する。説明は以下の順序により行う。
１．通信システムの構成
２．サブキャリアの圧縮制御と圧縮率
３．圧縮に関する情報の通知
４．圧縮制御を行うサブキャリア配置
５．サブキャリア圧縮の適応制御
【００１８】
＜１．通信システムの構成＞
［通信システムの構成例］
図１は、本技術の実施の形態における通信システムの全体構成の一例を示す図である。この通信システムは、ＯＦＤＭ方式におけるサブキャリアを周波数領域で圧縮して送信する非直交アクセス方式である非直交周波数分割多重（ＮＯＦＤＭ：Non-Orthogonal Frequency Division Multiplexing）信号を用いた無線通信を行う。この通信システムは、複数の端末１０と、基地局２０とを備える。端末１０は、ユーザが携帯する端末装置であり、基地局２０との間で無線通信を行う。基地局２０は、通信事業者が管理する無線装置であり、端末１０との間で無線通信を行う。
【００１９】
端末１０は、無線送受信部１１と、制御部１２と、メモリ１３と、ユーザインターフェース１４とを備える。
【００２０】
無線送受信部１１は、無線信号の送受信を行うものである。この無線送受信部１１は、制御部１２から出力された送信信号を無線信号に変換してアンテナ１９から送信する。また、無線送受信部１１は、アンテナ１９によって受信された無線信号を受信信号に変換して制御部１２に出力する。
【００２１】
制御部１２は、端末１０の全体を制御するものである。この制御部１２は、送信信号を無線送受信部１１に出力して送信させ、また、無線送受信部１１によって受信された受信信号を受ける。また、この制御部１２は、ユーザインターフェース１４を介してユーザから指示を受けるとともにユーザに情報を提供する。メモリ１３は、制御部１２の動作に必要なデータやプログラム等を記憶するメモリである。
【００２２】
ユーザインターフェース１４は、ユーザとのインターフェイスを司るものであり、例えば、ディスプレイやスピーカ等の出力部、および、操作ボタンやマイク等の入力部を備える。このユーザインターフェース１４は、ユーザから入力された操作を受けて、操作信号を制御部１２に出力する。また、このユーザインターフェース１４は、制御部１２から出力された情報を受けて、その情報をユーザに出力する。
【００２３】
基地局２０は、無線送受信部２１と、制御部２２と、メモリ２３と、ネットワークインターフェース２４とを備える。
【００２４】
無線送受信部２１は、無線信号の送受信を行うものである。この無線送受信部２１は、制御部２２から出力された送信信号を無線信号に変換してアンテナ２９から送信する。また、無線送受信部２１は、アンテナ２９によって受信された無線信号を受信信号に変換して制御部２２に出力する。
【００２５】
制御部２２は、基地局２０の全体を制御するものである。この制御部２２は、送信信号を無線送受信部２１に出力して送信させ、また、無線送受信部２１によって受信された受信信号を受ける。また、この制御部２２は、ネットワークインターフェース２４を介して他の基地局２０やゲートウェイ等との送受信を行う。メモリ２３は、制御部２２の動作に必要なデータやプログラム等を記憶するメモリである。
【００２６】
ネットワークインターフェース２４は、他の基地局２０やゲートウェイ等との送受信を司るものである。このネットワークインターフェース２４は、例えば、Ｘ２インターフェイスを介して隣接する他の基地局２０と接続し、Ｓ１インターフェイスを介してゲートウェイ等と接続する。
【００２７】
［送信部の構成例］
図２は、本技術の実施の形態における送信部１００の構成例を示す図である。この送信部１００は、端末１０の無線送受信部１１および基地局２０の無線送受信部２１における送信機能の第１の例であり、ＮＯＦＤＭ信号を送信する。
【００２８】
この送信部１００は、変調部１１０と、シリアルパラレル変換部１２０と、サブキャリアマッピング部１３０と、ＩＤＦＴ部１４０と、圧縮制御部１６０と、パラレルシリアル変換部１８０と、ＣＰ挿入部１９０とを備える。
【００２９】
変調部１１０は、ＬＤＰＣ（Low Density Parity Check）符号やターボ符号などの誤り訂正符号化を行った信号に対して、ＰＳＫ（Phase-Shift Keying）やＱＡＭ（Quadrature Amplitude Modulation）などの変調処理を行うものである。
【００３０】
シリアルパラレル変換部１２０は、変調部１１０によって変調されたシリアル信号をパラレル信号に変換するものである。このシリアルパラレル変換部１２０によって変換されたパラレル信号は、１つのＮＯＦＤＭシンボルによって送信される信号である。
【００３１】
サブキャリアマッピング部１３０は、ＮＯＦＤＭにおけるサブキャリアに対して、送信する信号をマッピングするものである。
【００３２】
ＩＤＦＴ部１４０は、ＮＯＦＤＭシンボル毎にＩＤＦＴ（Inverse Discrete Fourier Transform）処理を行うものである。圧縮制御部１６０は、ＩＤＦＴ部１４０におけるサブキャリア圧縮（ＮＯＦＤＭ信号の生成）のためのＩＤＦＴ処理に対して制御を行うものである。これにより、ＩＤＦＴ部１４０は、圧縮制御部１６０によって決定されるサブキャリア圧縮に基づいてＩＤＦＴ処理を行う。なお、ＩＤＦＴ部１４０は、特許請求の範囲に記載の信号生成部の一例である。
【００３３】
パラレルシリアル変換部１８０は、ＩＤＦＴ部１４０によってＩＤＦＴ処理されたパラレル信号を、シリアル信号に変換するものである。
【００３４】
ＣＰ挿入部１９０は、パラレルシリアル変換部１８０によって変換されたシリアル信号に、所定の長さのＣＰ（Cyclic Prefix）を挿入するものである。
【００３５】
図３は、本技術の実施の形態における他の送信部２００の構成例を示す図である。この送信部２００は、端末１０の無線送受信部１１および基地局２０の無線送受信部２１における送信機能の第２の例であり、ＮＯＦＤＭ信号を送信する。
【００３６】
この送信部２００は、変調部２１０と、シリアルパラレル変換部２２０と、サブキャリアマッピング部２３０と、ＩＦＦＴ部２４０と、周波数オフセット部２５０と、圧縮制御部２６０と、多重部２７０と、パラレルシリアル変換部２８０と、ＣＰ挿入部２９０とを備える。
【００３７】
変調部２１０は、ＬＤＰＣ符号やターボ符号などの誤り訂正符号化を行った信号に対して、ＰＳＫやＱＡＭなどの変調処理を行うものである。
【００３８】
シリアルパラレル変換部２２０は、変調部２１０によって変調されたシリアル信号をパラレル信号に変換するものである。このシリアルパラレル変換部２２０によって変換されたパラレル信号について、所定数の信号毎に並列処理が行われる。この所定数はＦＦＴ（Fast Fourier Transform）処理およびＩＦＦＴ（Inverse FFT）処理が可能となる数であり、例えば所定数は２のｎ乗（ｎは自然数）である。すなわち、並列処理のそれぞれにおいて、処理される信号は通常のＯＦＤＭと同様に処理を行うことが可能となる。そのため、第１の例に比べて処理時間を短縮することができる。
【００３９】
サブキャリアマッピング部２３０は、並列処理のそれぞれにおいて、ＮＯＦＤＭにおけるサブキャリアに対して、送信する信号をマッピングするものである。
【００４０】
ＩＦＦＴ部２４０は、並列処理のそれぞれにおいて、ＯＦＤＭシンボル毎にＩＦＦＴ処理を行うものである。
【００４１】
周波数オフセット部２５０は、並列処理のそれぞれにおいて、圧縮制御部２６０によって決定されるサブキャリア圧縮に基づいて、それぞれのＯＦＤＭシンボルがＮＯＦＤＭに対応するサブキャリアとなるように、周波数オフセットを行うものである。なお、周波数オフセット部２５０は、特許請求の範囲に記載の信号生成部の一例である。
【００４２】
圧縮制御部２６０は、周波数オフセット部２５０におけるサブキャリア圧縮（ＮＯＦＤＭ信号の生成）のための周波数オフセット処理に対して制御を行うものである。
【００４３】
多重部２７０は、並列処理されたＯＦＤＭシンボルのそれぞれをＮＯＦＤＭ信号となるように多重化処理を行うものである。
【００４４】
パラレルシリアル変換部２８０は、多重部２７０によって多重化処理されたパラレル信号を、シリアル信号に変換するものである。
【００４５】
ＣＰ挿入部２９０は、パラレルシリアル変換部２８０によって変換されたシリアル信号に、所定の長さのＣＰを挿入するものである。
【００４６】
すなわち、この送信部２００では、例えば、圧縮率０．５のＮＯＦＤＭ信号は、２つのＯＦＤＭ信号をまず生成した後、一方のＯＦＤＭ信号に対して圧縮率０．５となるように所定の周波数にオフセットし、多重にすることによって生成される。
【００４７】
［受信部の構成例］
図４は、本技術の実施の形態における受信部３００の構成例を示す図である。この受信部３００は、端末１０の無線送受信部１１および基地局２０の無線送受信部２１における受信機能の例であり、ＮＯＦＤＭ信号を受信する。
【００４８】
この受信部３００は、ＣＰ除去部３１０と、シリアルパラレル変換部３２０と、ＤＦＴ部３３０と、サブキャリアデマッピング部３４０と、等化部３５０と、圧縮制御部３６０と、パラレルシリアル変換部３８０と、復調部３９０とを備える。
【００４９】
ＣＰ除去部３１０は、受信したシリアル信号からＣＰを除去するものである。シリアルパラレル変換部３２０は、ＣＰが除去されたシリアル信号をパラレル信号に変換するものである。
【００５０】
ＤＦＴ部３３０は、ＮＯＦＤＭシンボル毎にＤＦＴ（Discrete Fourier Transform）処理を行うものである。サブキャリアデマッピング部３４０は、ＮＯＦＤＭシンボルに対するサブキャリアにマッピングされた信号をデマッピングするものである。
【００５１】
等化部３５０は、チャネル等化処理や干渉キャンセル処理などを行うものである。圧縮制御部３６０は、等化部３５０におけるチャネル等化処理や干渉キャンセル処理などに対して制御を行うものである。これにより、等化部３５０は、圧縮制御部３６０による制御に基づいてチャネル等化処理や干渉キャンセル処理などを行う。なお、等化部３５０は、特許請求の範囲に記載の信号復号部の一例である。
【００５２】
パラレルシリアル変換部３８０は、等化部３５０により処理されたパラレル信号をシリアル信号に変換するものである。復調部３９０は、変調処理された信号に対して復調を行うものである。
【００５３】
なお、ここでは受信部３００の一構成例について説明したが、ＮＯＦＤＭ信号に対する受信機能は様々な構成を用いることができる。
【００５４】
＜２．サブキャリアの圧縮制御と圧縮率＞
ＮＯＦＤＭでは、周波数領域における圧縮率を可変にすることができる。ここで、サブキャリア幅は、１つのサブキャリアが周波数領域を占める（周波数領域に広がる）周波数幅である。サブキャリア間隔は、隣接するサブキャリアの周波数領域の間隔である。例えば、サブキャリア間隔は、隣接するサブキャリアにおけるピーク値間の周波数間隔である。この実施の形態において、サブキャリア圧縮とは、サブキャリア幅が変わらず、通常のＯＦＤＭに比べてサブキャリア間隔を狭くする（狭める）ことを示す。
【００５５】
この実施の形態において、圧縮率は、通常のＯＦＤＭを圧縮率０のＮＯＦＤＭとしたときの、圧縮の度合いを示す。例えば、サブキャリア幅が３０ｋＨｚのＯＦＤＭを考える。この場合、そのサブキャリアを１５ｋＨｚのサブキャリア間隔で配置することにより、それぞれのサブキャリアは互いに直交となる。そのサブキャリアを７．５ｋＨｚのサブキャリア間隔で配置した場合、圧縮率０．５のＮＯＦＤＭとなる。
【００５６】
図５は、ＮＯＦＤＭにおけるサブキャリア配置の例を示す図である。同図におけるａは、圧縮率０の場合のサブキャリア配置例を示している。同図におけるｂは、圧縮率０．２の場合のサブキャリア配置例を示している。同図におけるｃは、圧縮率０．４の場合のサブキャリア配置例を示している。
【００５７】
ＮＯＦＤＭでは、圧縮率が高ければ高いほど、所定の周波数領域で送信されるサブキャリアの数が増えることになるため、周波数利用効率が高くなり、通信容量が増加する。その一方で、圧縮率が高ければ高いほど、キャリア間干渉が大きくなる。受信側で干渉キャンセラによる受信処理を行うことで、キャリア間干渉を除去（低減）することは可能である。しかし、その干渉除去の精度は受信信号のＳＮＲ（Signal-to-Noise Ratio）、または、ＳＩＮＲ（Signal-to-Interference and Noise Ratio）などの受信状態に依存することになる。
【００５８】
セルラー通信において、１つの基地局２０は１つ以上の端末１０を収容し、データ伝送を行う。それぞれの端末１０における受信状態は、基地局２０との位置関係や周囲の干渉の影響などにより異なる。そのため、それぞれの端末１０に応じて最適な圧縮率または圧縮方法が決まることになる。すなわち、ＮＯＦＤＭを用いるセルラー通信において、基地局２０は端末１０に対してサブキャリアの圧縮制御を最適に行うことで、端末１０毎および基地局２０のセル全体に対して周波数利用効率を向上させることができる。
【００５９】
また、サブキャリアの圧縮制御は、所定の周波数リソースに対して個別に行うことができる。ここで、所定の周波数リソースは、基地局２０のシステム帯域幅、データ伝送に用いられる周波数リソースの最小単位、予め仕様で規定される周波数リソース、基地局２０固有または端末１０固有に設定される周波数リソースなどである。また、この所定の周波数リソースは、端末１０に対してデータ伝送のために割り当てられた周波数リソース、リソースブロック（ＲＢ：Resource Block）であってもよい。さらに、所定の周波数リソースの外に対して、サブキャリアの圧縮制御に起因するキャリア間干渉を抑制するためのフィルタリングなどの処理を行うようにしてもよい。
【００６０】
＜３．圧縮に関する情報の通知＞
基地局２０が端末１０固有にサブキャリアの圧縮を制御する場合、端末１０は、下りリンク（downlink）では圧縮されたサブキャリアに対して受信処理を行い、上りリンク（uplink）ではサブキャリアを圧縮して送信処理を行う。端末１０は、下りリンクデータおよび上りリンクデータにおけるサブキャリアの配置（位置、マッピング）を認識する必要がある。そのため、基地局２０は、端末１０の下りリンクデータおよび上りリンクデータに対する、圧縮に関する情報を端末１０に通知する。
【００６１】
［データ伝送シーケンス］
図６は、本技術の実施の形態におけるサブキャリアの圧縮制御を行う下りリンクデータ伝送におけるシーケンス図の例である。基地局２０は、下りリンクデータの割当て（スケジューリング）を行うための制御情報（ＤＣＩ：Downlink Control Information）を、下りリンク制御チャネルを通じて端末１０に送信する（８１１）。そのＤＣＩは、下りリンクデータに対する圧縮に関する情報を含む。その後、基地局２０は、下りリンクデータを送信する（８１２）。
【００６２】
端末１０は、そのＤＣＩに基づいて、基地局２０から下りリンク共有チャネルを通じて送信（８１２）される下りリンクデータを受信し、復調処理や干渉キャンセル処理などを含む受信処理（８１３）を行う。その受信処理において、端末１０は通知された圧縮に関する情報に基づいて、圧縮されたサブキャリアの配置などを認識することができる。
【００６３】
また、端末１０は、その下りリンクデータの受信処理（８１３）を行った後、その下りリンクデータを正しく受信したかどうかを示す応答情報を、基地局２０に上りリンク制御チャネルまたは上りリンク共有チャネルを通じて通知する（８１４）。この応答情報は、Ａ／Ｎ（Acknowledgement / Negative acknowledgement）情報とも呼称される。
【００６４】
図７は、本技術の実施の形態におけるサブキャリアの圧縮制御を行う上りリンクデータ伝送におけるシーケンス図の例である。基地局２０は、上りリンクデータの割当て（スケジューリング）を行うための制御情報（ＤＣＩ）を、下りリンク制御チャネルを通じて端末１０に送信する（８２１）。そのＤＣＩは、上りリンクデータに対する圧縮に関する情報を含む。
【００６５】
端末１０は、そのＤＣＩに基づいて、上りリンクデータを生成する（８２２）。その生成処理において、端末１０は通知された圧縮に関する情報に基づいて、上りリンクデータにおけるサブキャリアの配置や圧縮などを行う。
【００６６】
端末１０は、その生成された上りリンクデータを上りリンク共有チャネルを通じて基地局２０に送信する（８２３）。
【００６７】
また、基地局２０は、その上りリンクデータを受信し、その上りリンクデータを正しく受信したかどうかを示す応答情報を、端末１０に下りリンク制御チャネルを通じて通知する（８２４）。
【００６８】
なお、上述の例では、圧縮に関する情報は、物理チャネル（物理レイヤー）を通じて動的に通知する場合を説明したが、これに限定されるものではない。例えば、圧縮に関する情報は、物理レイヤーに対して上位のレイヤーを通じて、準静的に通知することができる。上位のレイヤーは、ＭＡＣ（Media Access Control）レイヤーまたはＲＲＣ（Radio Resource Control）レイヤーなどである。また、圧縮に関する情報は、物理レイヤーおよび上位のレイヤーの組み合わせで通知することができる。
【００６９】
なお、下りリンクデータ伝送および上りリンクデータ伝送のそれぞれにおいて、サブキャリアの圧縮制御は所定の周波数リソースの単位で個別に行うことができ、さらに伝送路状態などに応じて適応的に行うことができる。詳細は後述する。
【００７０】
［適応制御の際の圧縮に関する情報の通知］
下りリンクデータまたは上りリンクデータに対して所定の周波数リソース毎にサブキャリア圧縮の適応制御を行う場合において、その圧縮に関する情報は、既に説明した方法に加えて、以下のような方法で通知することができる。ここでは、物理レイヤーによる通知方法の例と、物理レイヤーおよび上位のレイヤーの組み合わせによる通知方法の例について説明する。
【００７１】
［物理レイヤーによる通知方法］
図８は、本技術の実施の形態における圧縮率の通知方法の第１の例を示す図である。圧縮に関する情報は、それ単体の情報として通知することができる。この例では、圧縮率を示す情報（インデックス）を予め規定しておき、その情報を示している。このとき、同図のように、圧縮率が低い領域ではその刻み幅を小さく、圧縮率が高い領域ではその刻み幅を大きく設定することができる。
【００７２】
なお、この例ではインデックスを用いたが、圧縮に関する情報は、圧縮率そのものを示してもよい。
【００７３】
図９は、本技術の実施の形態における圧縮率の通知方法の第２の例を示す図である。この例では、ＭＣＳ（Modulation and Coding Scheme）と圧縮に関する情報との組み合わせが予め規定され、その組み合わせを示す情報（インデックス）が通知される。この例では、３２の組み合わせが規定され、それらのいずれかを示す５ビットの情報が通知される。ここで、変調オーダーは、変調方式における１つの変調シンボルで送信できるビット数を示す。例えば、変調オーダーが「２」であればＢＰＳＫ（Binary PSK）、変調オーダーが「４」であればＱＰＳＫ（Quadrature PSK）、変調オーダーが「６」であれば１６ＱＡＭである。トランスポートブロックサイズは、符号化処理の単位であるトランスポートブロックに含まれる情報ビット数を示す情報である。
【００７４】
図１０は、本技術の実施の形態における圧縮率の通知方法の第３の例を示す図である。この例では、レイヤー数（ＭＩＭＯ多重数）とアンテナポートと圧縮に関する情報との組み合わせが予め規定され、その組み合わせを示す情報（インデックス）が通知される。この例では、１６の組み合わせが規定され、それらのいずれかを示す４ビットの情報が通知される。ここで、レイヤー数は、ＭＩＭＯ（Multi-Input Multi-Output）の空間多重数である。アンテナポート番号は、送信アンテナのポート番号であり、送信データの復調参照信号などを決定するために用いられる。
【００７５】
［物理レイヤーおよび上位のレイヤーの組合せによる通知方法］
圧縮に関する情報を通知する際、物理レイヤーおよび上位のレイヤーを組み合わせることができる。例えば、１つの圧縮率を上位レイヤーの制御情報で通知し、その圧縮率のＮＯＦＤＭで送信するか通常のＯＦＤＭ（つまり、圧縮率０のＮＯＦＤＭ）で送信するかの１ビットを物理レイヤーで通知する。すなわち、この例では、物理レイヤーによって通知されるのは、ＮＯＦＤＭを使用するか否かを示す１ビットである。
【００７６】
図１１は、本技術の実施の形態における圧縮率の通知方法の第４の例を示す図である。この例では、圧縮に関する情報として、取りうる複数の圧縮率のリストを上位レイヤーで通知し、そのリストから適用される圧縮率（インデックス）を物理レイヤーで通知する。そのリストは、通常のＯＦＤＭでの送信を含むことができる。この例では、取りうる複数の圧縮率のリストは、インデックスに対応して、圧縮率の値０、ｃ０、ｃ１、ｃ２を示している。このリストが上位レイヤーで通知され、インデックスを物理レイヤーで通知する。
【００７７】
＜４．圧縮制御を行うサブキャリア配置＞
ＮＯＦＤＭにおいて、サブキャリアに対する圧縮制御を行う場合、そのサブキャリアの配置方法（マッピング方法）は以下の通り様々な方法を用いることができる。
【００７８】
ここで、ＮＯＦＤＭの圧縮率の定義を説明する。ＮＯＦＤＭのサブキャリアが等間隔に配置する場合の圧縮率ｃは、次式で表される。ただし、ａはサブキャリア幅であり、ｂはサブキャリア間隔である。
ｃ＝１−（２ｂ／ａ）
【００７９】
また、ＮＯＦＤＭのサブキャリアが不等間隔に配置する場合の圧縮率は、所定の周波数領域において平均値で表される。その平均値は、上式に基づいて決定されるようにしてもよい。
【００８０】
［圧縮率に応じてサブキャリアを等間隔に配置する方法］
圧縮率に応じてサブキャリアを等間隔に配置する場合、図５により説明したように、所定の周波数リソースにおいて、所定の圧縮率となるようにサブキャリアを配置する。この場合、端末１０は、圧縮率が分かれば、サブキャリアの配置を決定することが可能となる。そのため、圧縮に関する情報は、所定の周波数リソースに対する圧縮率を示す情報とすることができる。
【００８１】
［サブキャリアを不等間隔に配置する方法］
サブキャリアの不等間隔配置においては、以下に示すように、周期的な不等間隔配置と非周期的な不等間隔配置が考えられる。
【００８２】
図１２は、本技術の実施の形態における周期的な不等間隔配置の例を示す図である。この例では、等間隔に配置されたＮＯＦＤＭのサブキャリアに対して、所定の周期でサブキャリアを間引くことにより不等間隔配置を行っている。ここでは、圧縮率０．５のＮＯＦＤＭに対して連続する４つのサブキャリア６１１乃至６１４のうちの１つのサブキャリア６１４を周期的に間引いたサブキャリアの不等間隔配置を示している。すなわち、サブキャリア６１３の次にはサブキャリア６１５が配置される。この場合の圧縮率は約０．２５となる。
【００８３】
この場合、圧縮に関する情報は、間引く前のＮＯＦＤＭにおける圧縮率と、周期的に間引く割合などを示す情報とすることができる。また、間引く前のＮＯＦＤＭにおける圧縮率は、予め規定されるか上位のレイヤーで準静的に設定され、周期的に間引く割合は、動的に通知されてもよい。
【００８４】
図１３は、本技術の実施の形態における非周期的な不等間隔配置の例を示す図である。この例では、等間隔に配置されたＮＯＦＤＭのサブキャリア６２１乃至６３５に対して、非周期的にサブキャリア６２１乃至６２６を間引くことにより不等間隔配置を行っている。ここでは、圧縮率０．２のＮＯＦＤＭに対して非周期的に間引いたサブキャリアの不等間隔配置を示している。
【００８５】
この場合、圧縮に関する情報は、間引く前のＮＯＦＤＭにおける圧縮率と、間引くサブキャリア（または間引かないサブキャリア）を示す情報とすることができる。また、間引く前のＮＯＦＤＭにおける圧縮率は、予め規定されるか、上位のレイヤーで準静的に設定される。また、間引くサブキャリア（または、間引かないサブキャリア）を示す情報は、動的に通知されてもよい。
【００８６】
また、間引くサブキャリア（または、間引かないサブキャリア）を示す情報は、予め規定されたパターンであってもよいし、ビットマップ形式の情報としてサブキャリア毎（所定数のサブキャリアのセット毎）に間引くかどうかを示す情報であってもよい。
【００８７】
また、このような非周期的に間引く方法は、伝送路特性に応じて適応的にマッピングする際に好適な方法である。
【００８８】
また、本技術の実施の形態における非周期的な不等間隔配置の他の例として、所定のサブキャリアで送信されるデータの種類、チャネルの種類、および、信号の種類に応じて、サブキャリアの配置または圧縮率を決定することが考えられる。すなわち、サブキャリアの配置または圧縮率は、データ、チャネルまたは信号の重要度（プライオリティ）によって決定される。
【００８９】
例えば、所定の周波数リソースにおいて、所定の圧縮率によりデータが送信される場合、所定の周波数リソース内の所定のサブキャリアにおいて、そのデータを復調するための参照信号が多重に送信される。参照信号は復調するために重要な信号であり、キャリア間干渉をなるべく低減して送信されることが好ましい。そのため、参照信号の送信に用いられるサブキャリアは、データに比べて圧縮率を低減させるように、サブキャリアの配置を行う。
【００９０】
＜５．サブキャリア圧縮の適応制御＞
ＮＯＦＤＭでは、所定の周波数リソース毎にサブキャリア圧縮の適応制御を行うことができる。ここで、所定の周波数リソースは、データ送信に割り当てられる周波数リソースの単位に基づいて決定されるようにすることができる。例えば、所定の周波数リソースはリソースブロックである。また、例えば、所定の周波数リソースは、データ送信に割り当てられる周波数リソースの所定数倍のリソースである。
【００９１】
［サブキャリア圧縮の適応制御と伝送路状態の関係］
図１４は、本技術の実施の形態におけるサブキャリア圧縮の適応制御の例を示す図である。ここでは、８つのリソースブロックに対するサブキャリア圧縮の適応制御の例を示している。ここで、上部に示す特性は周波数領域における伝送路状態を示す。また、下部に示す８つのリソースブロックＲＢ♯０乃至＃７は、上部の周波数に対応する。例えば、ＲＢ♯３および♯４については、伝送路状態が良好であるため、高い圧縮率で送信することで通信容量を向上させる。ＲＢ♯６および♯７については、伝送路状態が悪いため、圧縮せずに送信することで受信特性を向上させる。
【００９２】
このように、周波数領域における伝送路状態に応じて圧縮率を適応的に制御することにより、最適なデータ伝送を実現することができる。
【００９３】
［サブキャリア圧縮の適応制御のための伝送路状態のフィードバック］
これまで説明したサブキャリア圧縮を効率的に適応制御するために、端末１０は伝送路状態に関する情報をフィードバック（レポート）することが好ましい。例えば、端末１０は、基地局２０に推奨するＣＳＩ（Channel State Information）を報告する。
【００９４】
ＣＳＩは、ＣＱＩ（Channel Quality Indicator）、ＰＭＩ（Precoding Matrix Indicator）、ＲＩ（Rank Indicator）、ＣＲＩ（CSI Resource Indicator）、または、サブキャリア圧縮に関する情報を含む。
【００９５】
ＲＩは、送信レイヤーの数（ランク数）を示す。ＰＭＩは、予め規定されたプレコーディング行列を示す情報、または、ビームフォーミングに関する情報である。ＣＱＩは、予め規定された変調方式と符号化率との組合せを示す情報である。ＣＲＩは、ＣＳＩ−ＲＳリソースが２つ以上設定された場合に、それらのＣＳＩ−ＲＳリソースから選択される１つのＣＳＩ−ＲＳリソースを示す情報である。
【００９６】
圧縮に関する情報は、圧縮率や圧縮のパターンなどを示す情報である。圧縮に関する情報は、他のＣＳＩとは別の情報として通知されうる。
【００９７】
また、圧縮に関する情報は、他のＣＳＩに含まれて通知されてもよい。例えば、ＲＩ、ＰＭＩ、ＣＱＩまたはＣＲＩと圧縮に関する情報との組合せを示す情報（インデックス）が、それぞれＲＩ、ＰＭＩ、ＣＱＩまたはＣＲＩとして通知される。
【００９８】
図１５は、本技術の実施の形態におけるＣＱＩと圧縮に関する情報との組合せを示すフィードバック情報の一例を示す図である。これにより、圧縮率はＣＱＩの情報ビットに含まれるため、圧縮率の通知を単独で行う場合に比べて、圧縮率を通知するために必要となる情報ビットが削減される。
【００９９】
また、端末１０は所定の圧縮率を想定して、ＣＳＩを通知することができる。例えば、端末１０には基地局２０から１つの圧縮率が設定され、端末１０はその圧縮率に基づいて、ＲＩ、ＰＭＩ、ＣＱＩおよび／またはＣＲＩを生成し、基地局２０にフィードバックするようにしてもよい。
【０１００】
このように、本技術の実施の形態では、ＮＯＦＤＭ信号について、周波数リソース内の所定のリソース毎に、サブキャリア幅を変えることなく、サブキャリア間隔を狭めるサブキャリア圧縮が行われる。これにより、セルラー通信に最適な圧縮制御を行い、周波数利用効率を向上させることができる。
【０１０１】
なお、上述の実施の形態は本技術を具現化するための一例を示したものであり、実施の形態における事項と、特許請求の範囲における発明特定事項とはそれぞれ対応関係を有する。同様に、特許請求の範囲における発明特定事項と、これと同一名称を付した本技術の実施の形態における事項とはそれぞれ対応関係を有する。ただし、本技術は実施の形態に限定されるものではなく、その要旨を逸脱しない範囲において実施の形態に種々の変形を施すことにより具現化することができる。
【０１０２】
また、上述の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disc）、メモリカード、ブルーレイディスク（Blu-ray（登録商標）Disc）等を用いることができる。
【０１０３】
なお、本明細書に記載された効果はあくまで例示であって、限定されるものではなく、また、他の効果があってもよい。
【０１０４】
なお、本技術は以下のような構成もとることができる。
（１）周波数リソース内の所定のリソース毎に、サブキャリア幅を変えることなくサブキャリア間隔を狭めるサブキャリア圧縮のための圧縮制御を行う圧縮制御部と、
前記圧縮制御に基づいて非直交周波数分割多重信号を生成する信号生成部と
を具備して前記非直交周波数分割多重信号を受信装置に送信する送信装置。
（２）前記所定のリソースは、データ送信に割り当てられる周波数リソースの単位に基づいて決定される
前記（１）に記載の送信装置。
（３）前記サブキャリア圧縮は、制御情報に含まれるサブキャリア圧縮に関する情報に基づいて行われる
前記（１）または（２）に記載の送信装置。
（４）前記制御情報は、前記送信装置から前記受信装置に対して通知される
前記（３）に記載の送信装置。
（５）前記制御情報は、前記受信装置から前記送信装置に対して通知される
前記（３）に記載の送信装置。
（６）前記サブキャリア圧縮に関する情報は、変調方式および符号化率に関する情報、レイヤー数、または、アンテナポートと組み合わせて規定される
前記（３）に記載の送信装置。
（７）前記サブキャリア間隔は、前記所定のリソースにおいて等間隔に配置される
前記（１）に記載の送信装置。
（８）前記サブキャリア間隔は、前記所定のリソースにおいて不等間隔に配置される
前記（１）に記載の送信装置。
（９）前記サブキャリアの配置は、所定の信号がマッピングされるサブキャリアに基づいて決定される
前記（８）に記載の送信装置。
（１０）前記所定の信号は、参照信号である
前記（９）に記載の送信装置。
（１１）前記非直交周波数分割多重信号は、前記所定のリソースにおいて等間隔に配置されたサブキャリアのうち所定のサブキャリアを間引くことにより生成される
前記（８）に記載の送信装置。
（１２）前記サブキャリア圧縮は、前記所定のリソースにおける伝送路状態に基づいて行われる
前記（１）に記載の送信装置。
（１３）周波数リソース内の所定のリソース毎に、サブキャリア幅を変えることなくサブキャリア間隔を狭めるサブキャリア圧縮のための圧縮制御を行う圧縮制御部と、
前記圧縮制御に基づいて非直交周波数分割多重信号を復号する信号復号部と
を具備して前記非直交周波数分割多重信号を送信装置から受信する受信装置。
（１４）所定の参照信号により測定される伝送路状態に基づいて前記サブキャリア圧縮に関する情報を前記送信装置にフィードバックする
前記（１３）に記載の受信装置。
（１５）非直交周波数分割多重信号を送信する送信装置と、前記送信装置から送信された前記非直交周波数分割多重信号を受信する受信装置とを具備する無線通信システムであって、
前記送信装置は、
周波数リソース内の所定のリソース毎に、サブキャリア幅を変えることなくサブキャリア間隔を狭めるサブキャリア圧縮のための圧縮制御を行う圧縮制御部と、
前記圧縮制御に基づいて前記非直交周波数分割多重信号を生成する信号生成部とを備える
無線通信システム。
（１６）周波数リソース内の所定のリソース毎に、サブキャリア幅を変えることなくサブキャリア間隔を狭めるサブキャリア圧縮のための圧縮制御を行う圧縮制御手順と、
前記圧縮制御に基づいて非直交周波数分割多重信号を生成する信号生成手順と
を具備して前記非直交周波数分割多重信号を受信装置に送信する送信装置における送信方法。
（１７）周波数リソース内の所定のリソース毎に、サブキャリア幅を変えることなくサブキャリア間隔を狭めるサブキャリア圧縮のための圧縮制御を行う圧縮制御手順と、
前記圧縮制御に基づいて非直交周波数分割多重信号を復号する信号復号手順と
を具備して前記非直交周波数分割多重信号を送信装置から受信する受信装置における受信方法。
（１８）周波数リソース内の所定のリソース毎に、サブキャリア幅を変えることなくサブキャリア間隔を狭めるサブキャリア圧縮のための圧縮制御を行う圧縮制御手順と、
前記圧縮制御に基づいて非直交周波数分割多重信号を生成する信号生成手順と
を送信装置のコンピュータに実行させて前記非直交周波数分割多重信号を受信装置に送信するためのプログラム。
（１９）周波数リソース内の所定のリソース毎に、サブキャリア幅を変えることなくサブキャリア間隔を狭めるサブキャリア圧縮のための圧縮制御を行う圧縮制御手順と、
前記圧縮制御に基づいて非直交周波数分割多重信号を復号する信号復号手順と
を送信装置のコンピュータに実行させて前記非直交周波数分割多重信号を送信装置から受信するためのプログラム。
【符号の説明】
【０１０５】
１０  端末
１１  無線送受信部
１２  制御部
１３  メモリ
１４  ユーザインターフェース
１９  アンテナ
２０  基地局
２１  無線送受信部
２２  制御部
２３  メモリ
２４  ネットワークインターフェース
２９  アンテナ
１００、２００  送信部
１１０、２１０  変調部
１２０、２２０  シリアルパラレル変換部
１３０、２３０  サブキャリアマッピング部
１４０  ＩＤＦＴ（Inverse Discrete Fourier Transform）部
１６０、２６０  圧縮制御部
１８０、２８０  パラレルシリアル変換部
１９０、２９０  ＣＰ挿入部
２４０  ＩＦＦＴ（Inverse Fast Fourier Transform）部
２５０  周波数オフセット部
２７０  多重部
３００  受信部
３１０  ＣＰ除去部
３２０  シリアルパラレル変換部
３３０  ＤＦＴ（Discrete Fourier Transform）部
３４０  サブキャリアデマッピング部
３５０  等化部
３６０  圧縮制御部
３８０  パラレルシリアル変換部
３９０  復調部
【図１】
2018157514.tif 000003
【図２】
2018157514.tif 000004
【図３】
2018157514.tif 000005
【図４】
2018157514.tif 000006
【図５】
2018157514.tif 000007
【図６】
2018157514.tif 000008
【図７】
2018157514.tif 000009
【図８】
2018157514.tif 000010
【図９】
2018157514.tif 000011
【図１０】
2018157514.tif 000012
【図１１】
2018157514.tif 000013
【図１２】
2018157514.tif 000014
【図１３】
2018157514.tif 000015
【図１４】
2018157514.tif 000016
【図１５】
2018157514.tif 000017